(57)【要約】【課題】高い精度が不要で、かつ簡素な構造であることによって生産上の負担が軽減し、しかも十分な耐久性を有する像揺れ防止構造を備えたファインダ装置を提供する。【解決手段】ファインダ光軸に沿って移動自在に設けた第１，第２移動レンズ４１，４２にガイド突起４１ｅ，４２ｅをそれぞれ形成し、これらガイド突起４１ｅ，４２ｅを、鏡筒部８１の壁部８１ｄに形成したガイドスリット８１ｅに摺動自在に嵌入する。各ガイド突起４１ｅ，４２ｅとガイドスリット８１ｅの上側の内壁面８１ｆとの間の隙間４５に弾性シート４６を差し込み、この弾性シート４６を壁部８１ｄの外面に接着する。弾性シート４６の弾性によって各ガイド突起４１ｅ，４２ｅを摺動面であるガイドスリット８１ｅの下側の内壁面８１ｇに圧接させ、各ガイド突起４１ｅ，４２ｅのがたつきを抑える。【選択図】        図６
2004151409.tif 000002
【特許請求の範囲】
【請求項１】
ファインダ光軸と平行に延びるガイド軸と、
このガイド軸に沿って移動自在に支持された移動レンズと、
前記ファインダ光軸と平行に延びるガイドスリットが形成されたガイド板と、
前記移動レンズに設けられ、前記ガイドスリットに嵌入されるとともに該ガイドスリットの内壁面によって摺動自在に支持されるガイド突起とを備えたファインダ装置において、
前記ガイドスリットを形成する一対の内壁面のうちの一方が前記ガイド突起の摺動する摺動面に設定され、他方の内壁面とガイド突起との間に形成される隙間に、該ガイド突起を前記摺動面に向けて付勢する弾性シートが、ガイド突起の移動範囲にわたって介装されていることを特徴とするファインダ装置。
【請求項２】
前記弾性シートは、前記ガイド板における前記移動レンズ側に面する内面もしくは外面のうちの一方に固定され、反固定側である自由端縁側が前記隙間に差し込まれていることを特徴とする請求項１に記載のファインダ装置。
【請求項３】
前記弾性シートは、前記ガイド板における前記他方の内壁面を覆った状態で、該ガイド板の前記内面および前記外面に固定されていることを特徴とする請求項１に記載のファインダ装置。
【発明の詳細な説明】
【０００１】
【発明の属する技術分野】
本発明は、ズーム機能を備えたカメラのファインダ装置に係り、特に像揺れ防止構造の改善に関する。
【０００２】
【従来の技術】
ズーム機能付きのカメラのファインダ装置は、通常、撮影倍率の切り換えに連動して視野が切り換えられるズーム機能が備えられている。ズーム機能付きファインダ装置としては、対物レンズと接眼レンズとの間に２枚の移動レンズをファインダ光軸に沿って移動自在に配置するとともに、これら移動レンズを互いに引き合うバネを設け、カム機構等によって２枚の移動レンズの間隔を変動させる構成が一般的である。
【０００３】
このようなファインダ装置にあっては、移動中の移動レンズにファインダ光軸と直交する方向への振れが生じることなく、移動レンズがファインダ光軸に沿って正確かつ円滑に移動することが求められる。移動レンズに振れが生じると、ファインダから観察される被写体の像に揺れが生じきわめて見づらくなり、この傾向は、小型化・高性能化によって感度がきわめて高い近年のカメラにおいて顕著となる。そこで、このような像揺れを抑える技術として、移動レンズの側方に配したガイド板にファインダ光軸方向に延びるスリットを設ける一方、このスリットに嵌入する突起を移動レンズ側に設け、移動レンズの移動に伴って突起がスリットの内壁面を摺動し、これによって移動レンズの振れを抑えている（特許文献１参照）。
【０００４】
【特許文献１】
特開平１０−１６１１９３号公報  （第２〜第４頁、図１〜図４）
【０００５】
ところが、上記公報に記載の移動レンズの振れ防止策では、移動レンズ側の突起をスリットに嵌入させるので、当然ながら突起とスリットの内壁面との間には微小ながらでも隙間が生じている。このため、その隙間に起因して突起にがたつきが生じてしまい、移動レンズの振れを完全に抑えることが困難であった。そこで本出願人は、特願２００１−２４８８７０で、スリットの一方の内壁面に圧接するバネ部を突起に一体成形し、このバネ部の弾性で突起を他方の内壁面である摺動面に常に付勢して圧接させることにより、突起のがたつきを抑えて移動レンズの振れを防止することができる構造を提案した。
【０００６】
【発明が解決しようとする課題】
ところが、この改善案では、バネ部の一体成型は難度が高いこととともに、バネ部の耐久性が不十分であるといった問題を有することが判明した。また、スリットにおける突起が摺動する側の内壁面はもとより、バネ部が摺動する側の内壁面も摺動性を高めるために高い精度で平滑面としなければならず、製造上の負担が大きくなるといった問題もあった。
【０００７】
よって本発明は、高い精度が不要で、かつ簡素な構造であることによって生産上の負担が軽減し、しかも十分な耐久性を有する像揺れ防止構造を備えたファインダ装置を提供することを目的としている。
【０００８】
【課題を解決するための手段】
本発明は、ファインダ光軸と平行に延びるガイド軸と、このガイド軸に沿って移動自在に支持された移動レンズと、ファインダ光軸と平行に延びるガイドスリットが形成されたガイド板と、移動レンズに設けられ、ガイドスリットに嵌入されるとともに該ガイドスリットの内壁面によって摺動自在に支持されるガイド突起とを備えたファインダ装置において、ガイドスリットを形成する一対の内壁面のうちの一方がガイド突起の摺動する摺動面に設定され、他方の内壁面とガイド突起との間に形成される隙間に、該ガイド突起を摺動面に向けて付勢する弾性シートがガイド突起の移動範囲にわたって介装されていることを特徴としている。
【０００９】
本発明では、移動レンズに設けられ、ガイド板のガイドスリットに嵌入されたガイド突起が、弾性シートによってガイドスリットの摺動面に向けて付勢されることにより、その摺動面にガイド突起が常に圧接される。このため、ガイド突起にがたつきが生じず移動中の移動レンズの振れが抑えられ、その結果として像揺れが防止される。
【００１０】
ガイド突起は、ガイドスリットの一対の内壁面のうちの一方を摺動するものであるから、摺動面となる一方の内壁面を平滑に加工する必要はあるものの、他方の内壁面を摺動するものではないので、この他方の内壁面を平滑に加工する必要はない。また、弾性シートが介装される隙間の大きさはガイド突起のがたつきに直接影響しないので比較的大きくとることができ、このため、ガイドスリットやガイド突起の幅を高い精度で設定しなくてよい。さらに、ガイド突起の付勢部材として、ガイド突起とは別部材の弾性シートを用い、この弾性シートを上記隙間に介装するものであるから、構造が簡素である。これらのことから、生産上の負担が軽減する。
【００１１】
弾性シートはガイド突起の移動範囲にわたる長さを有していることから、ガイド突起を付勢する弾性力が十分で、かつ安定しており、しかも破損しにくい材料を容易に選択することができる。したがって、十分な耐久性を発揮する。
【００１２】
本発明の弾性シートはガイド板に固定することができ、具体的には、ガイド板における移動レンズ側に面する内面もしくは外面のうちの一方に固定され、反固定側である自由端縁側が隙間に差し込まれている形態が挙げられる。この他には、ガイド突起が摺動しない方の内壁面を覆った状態で、ガイド板の内面および外面に固定されていてもよい。弾性シートをガイド板に固定する手段としては、接着剤を用いて直接接着したり、両面に接着剤が塗布された両面接着テープを用いて接着したりする手段が挙げられる。なお、ガイド板への弾性シートの位置決めとともに、移動するガイド突起の摩擦によって弾性シートがずれることを防ぐ目的で、ガイド板にボスを形成し、このボスに弾性シートに形成した孔を嵌め込むとよい。
【００１３】
【発明の実施の形態】
以下、図面を参照して本発明の一実施形態を説明する。
図１は一実施形態に係るファインダ装置３０を備えたコンパクトデジタルカメラの斜視図、図２は同カメラの正面図である。これら図で符号１は薄い直方体状のカメラボディである。このカメラボディ１には、図２に示すように、正面から見て右上の位置に光学ユニット２が組み込まれており、この光学ユニット２の上方に、ポップアップ式のストロボ３が組み込まれている。
【００１４】
光学ユニット２は、図３に示すように、レンズ鏡筒１０、駆動ユニット２０およびファインダ装置３０を備えており、これらがフレーム４に取り付けられて一体化されている。以下に、レンズ鏡筒１０、駆動ユニット２０およびファインダ装置３０を説明する。
【００１５】
（１）レンズ鏡筒
レンズ鏡筒１０は沈胴式のズームレンズ鏡筒であり、最外周に位置する回転筒１１を回転駆動することにより、内蔵された所定の撮影レンズ群が前後移動して撮影倍率が切り換えられるようになっている。回転筒１１の基端部外周にはレンズ鏡筒駆動ギヤ１２が形成されており、該ギヤ１２が駆動ユニット２０に回転させられることにより、回転筒１１が回転するようになっている。
【００１６】
（２）駆動ユニット
駆動ユニット２０は、図３および図４に示すように、ギヤボックス２１と、このギヤボックス２１に固定された駆動モータ２２とを備えている。ギヤボックス２１内には減速ギヤ群が収納されており、この減速ギヤ群の入力軸に、駆動モータ２２の出力軸が連結されている。減速ギヤ群は図４に示す駆動ギヤ２３を備えており、この駆動ギヤ２３はレンズ鏡筒駆動ギヤ１２に噛合している。駆動モータ２２の回転は減速ギヤ群によって減速されて駆動ギヤ２３に伝わり、駆動ギヤ２３の回転がレンズ鏡筒駆動ギヤ１２に伝わってレンズ鏡筒１０の回転筒１１が回転するようになっている。
【００１７】
（３）ファインダ装置
ファインダ装置３０は、図５および図６に示すように、ファインダレンズ群４０、正立プリズム５０、カム６０およびアイドルギヤ７０を備えており、これらがハウジング８０に取り付けられて一体化されている。
【００１８】
ハウジング８０は、図５に示すように、鏡筒部８１およびプリズム収容部８２を主体としている。鏡筒部８１にはファインダレンズ群４０が収容され、プリズム収容部８２には正立プリズム５０が収容される。鏡筒部８１は着脱自在に取り付けられる天井部８１ａを有しており、ファインダレンズ群４０を収容した後、天井部８１ａが取り付けられる。また、プリズム収容部８２は着脱自在に取り付けられる底部８２ａを有しており、正立プリズム５０を収容した後、底部８２ａが取り付けられる。
【００１９】
ファインダレンズ群４０は、ハウジング８０の鏡筒部８１内に光軸が一致する状態で保持された第１移動レンズ４１、第２移動レンズ４２および固定レンズ４３によって構成されている。これらレンズ４１〜４３の一致した光軸がファインダ光軸となる。固定レンズ４３は矩形状に形成されており、鏡筒部８１の後部に形成された固定レンズ保持枠８１ｂに保持されている。第１移動レンズ４１および第２移動レンズ４２は、それぞれ円形状のレンズ体４１ａ，４２ａの周囲に矩形状のレンズ枠４１ｂ，４２ｂが一体成形された構成であり、固定レンズ４３の前方に第１移動レンズ４１が、第１移動レンズ４１の前方に第２移動レンズ４２がそれぞれ配置されている。そしてこれら移動レンズ４１，４２は、ファインダ光軸に沿って前後方向に移動自在に保持されている。なお、各レンズ枠４１ｂ，４２ｂの前面には、不要な光をカットするためのマスク４１ｃ，４２ｃがそれぞれ貼着される。
【００２０】
図５および図６に示すように、第１移動レンズ４１および第２移動レンズ４２における各レンズ枠４１ｂ，４２ｂの正面から見て左側の下端には、軸方向がファインダ光軸と平行な円筒状の軸受４１ｄ，４２ｄがそれぞれ一体成形されている。これら軸受４１ｄ，４２ｄは、鏡筒部８１の底部開口を通されて鏡筒部８１の下方に配置されている。そして、これら軸受４１ｄ，４２ｄには、ファインダ光軸と平行に延び、その両端が鏡筒部８１に一体成形されたブラケット８１ｃに支持されたガイド軸４４が挿通されている。各移動レンズ４１，４２は、それぞれ軸受４１ｄ，４２ｄを介することにより、ガイド軸４４に沿って移動自在、かつガイド軸４４を中心に軸回りに回転可能に支持されている。
【００２１】
一方、図５〜図７に示すように、第１移動レンズ４１および第２移動レンズ４２における各レンズ枠４１ｂ，４２ｂの正面から見て右側の側部中央には、右方に突出する短い角柱状のガイド突起４１ｅ，４２ｅがそれぞれ一体成形されている。そして、図６〜図８に示すように、上記鏡筒部８１を構成する正面から見て右側の壁部（ガイド板）８１ｄには、ファインダ光軸と平行に延びるガイドスリット８１ｅが形成されており、このガイドスリット８１ｅに各ガイド突起４１ｅ，４２ｅが摺動自在に嵌入されている。各ガイド突起４１ｅ，４２ｅの幅（図６で上下方向の寸法）は、同じに設定されている。
【００２２】
第１移動レンズ４１および第２移動レンズ４２は、それぞれの軸受４１ｄ，４２ｄにガイド軸４４が挿通されたことによって生じるガイド作用と、ガイドスリット８１ｅにそれぞれのガイド突起４１ｅ，４２ｅが嵌入されたことによって生じるガイド作用とにより、鏡筒部８１内をファインダ光軸方向に沿って移動自在に支持されている。
【００２３】
当該カメラの通常の使用状態（ストロボ３を上にして持った状態）では、各移動レンズ４１，４２はガイド軸４４を中心として図６において時計回りに回転しようとするので、各ガイド突起４１ｅ，４２ｅはガイドスリット８１ｅを形成する上下の内壁面８１ｆ，８１ｇのうちの下側の内壁面８１ｇに当接する。すなわちこの内壁面８１ｇが各ガイド突起４１ｅ，４２ｅの摺動面となる。このため、図７に示すように上側の内壁面８１ｆと各ガイド突起４１ｅ，４２ｅとの間には所定の隙間４５が形成され、この隙間４５に、弾性シート４６が差し込まれて、すなわち介装された状態になっている。
【００２４】
弾性シート４６は、弾性を有する材質からなるシートを長方形状に裁断したもので、図７に示すように、幅方向の一端側が上記隙間４５に差し込まれ、他端側が両面接着テープ４７によって壁部８１ｄにおけるガイドスリット８１ｅの上側の外面に貼着されている。図８に示すように、弾性シート４６はガイドスリット８１ｅのほぼ全長にわたって延在しており、第１移動レンズ４１および第２移動レンズ４２の移動範囲を十分にカバーする長さを有している。弾性シート４６における隙間４５に差し込まれた下端側は、屈曲した状態から平な状態に復帰しようとする弾性によって各ガイド突起４１ｅ，４２ｅを下方に付勢しており、これによって各ガイド突起４１ｅ，４２ｅはガイドスリット８１ｅの下側の内壁面８１ｇに対して常に押し付けられている。
【００２５】
弾性シート４６は、例えばポリエチレンテレフタレート（ＰＥＴ）やポリエステル等を材料とした適度な弾性を有するシートが用いられ、具体的には、ソマール社製「マイラー」や東レ社製「ルミラー」等を用いることができる。弾性シート４６の表面は、各ガイド突起４１ｅ，４２ｅとの間にできるだけ摺動抵抗が生じないような平滑面であることが望ましい。なお、壁部８１ｄへの弾性シート４６の固定手段としては、上記両面接着テープ４７の他に、接着剤を用いて直接接着してもよく、これ以外の手段を用いてもよい。
【００２６】
上記ハウジング８０のプリズム収容部８２に収容される正立プリズム５０には、図５に示すように、接眼部側に接眼レンズ５１が一体成形されている。また、プリズム収容部８２には、正立プリズム５０と上記固定レンズ４３との間に配される視野枠８２ｂが取り付けられる。
【００２７】
カム６０は、図４〜図６に示すように円筒状を呈しており、軸方向がファインダ光軸と平行な状態でハウジング８０の鏡筒部８１の下方に配され、その両端が鏡筒部８１に一体成形されたブラケット８１ｈに対し軸回りに回転自在に支持されている。このカム６０の後側の端部には、カムギヤ６１が同軸的に一体成形されている。また、カム６０の外周面には、所定の螺旋形状を有するカム溝６２が形成されている。
【００２８】
図５に示すように、第１移動レンズ４１および第２移動レンズ４２の各軸受４１ｄ，４２ｄの外周部には、カム溝６２に係合するカムフォロア４１ｆ，４２ｆがそれぞれ一体成形されている。また、各軸受４１ｄ，４２ｄの外周部には、カムフォロア４１ｆ，４２ｆに対してほぼ直交する方向に突出するフック４１ｇ，４２ｇがそれぞれ一体成形されており、これらフック４１ｇ，４２ｇには、コイルスプリング４８が引っ張り状態で掛けられている。このコイルスプリング４８の引っ張り力により、第１移動レンズ４１と第２移動レンズ４２は互いに接近する方向に付勢されている。
【００２９】
アイドルギヤ７０は、図４および図６に示すように、小径ギヤ７０ａと大径ギヤ７０ｂとが同軸上に配置されて一体化されたもので、鏡筒部８１に形成された図示せぬ軸に回転自在に支持されている。そして、小径ギヤ７０ａはカム６０のカムギヤ６１に噛合され、大径ギヤ７０ｂは回転筒１１のレンズ鏡筒駆動ギヤ１２に噛合されている。したがって、上記駆動ユニット２０によってレンズ鏡筒１０の回転筒１１が回転駆動されると、その回転はレンズ鏡筒駆動ギヤ１２からアイドルギヤ７０の大径ギヤ７０ｂに伝わり、さらに小径ギヤ７０ａからカムギヤ６１に伝わってカム６０が回転する。
【００３０】
そして、カム６０が回転すると、カム溝６２に沿って上記各カムフォロア４１ｆ，４２ｆが移動し、その移動に追従して第１移動レンズ４１および第２移動レンズ４２がファインダ光軸に沿って互いに接近したり離間したりするように移動する。これによってファインダ装置３０の視野が切り換えられる。
【００３１】
以上が一実施形態に係るファインダ装置３０を備えたカメラであり、このファインダ装置３０によれば、上記壁部８１ｄのガイドスリット８１ｅに嵌入された第１移動レンズ４１および第２移動レンズ４２の各ガイド突起４１ｅ，４２ｅが弾性シート４６によって摺動面である下側の内壁面８１ｇに常に圧接されている。このため、撮影倍率の切り換えに連動して各移動レンズ４１，４２が移動する最中もその状態が保持されて、各ガイド突起４１ｅ，４２ｅは下側の内壁面８１ｇを常に摺動する。したがって各ガイド突起４１ｅ，４２ｅにがたつきが生じず移動中の移動レンズ４１，４２の振れが抑えられ、その結果として像揺れが防止される。
【００３２】
各ガイド突起４１ｅ，４２ｅはガイドスリット８１ｅの下側の内壁面８１ｇを摺動するので、この内壁面８１ｇを平滑に加工する必要はあるものの、上側の内壁面８１ｆに関しては各ガイド突起４１ｅ，４２ｅが摺動しないので特に平滑に加工する必要はない。また、弾性シート４６が差し込まれる隙間４５の大きさは各ガイド突起４１ｅ，４２ｅのがたつきに直接影響しないので比較的大きくとることができる。このため、ガイドスリット８１ｅや各ガイド突起４１ｅ，４２ｅの幅を高い精度で設定しなくて済む。さらに、各ガイド突起４１ｅ，４２ｅの付勢部材として、各ガイド突起４１ｅ，４２ｅとは別部材の弾性シート４６を用い、この弾性シート４６を隙間４５に差し込む構成なので、構造が簡素である。これらのことから、生産上の負担が軽減する。
【００３３】
さらに、弾性シート４６は各ガイド突起４１ｅ，４２ｅの移動範囲にわたる長さを有していることから、各ガイド突起４１ｅ，４２ｅを付勢する弾性力が十分で、かつ安定しており、しかも破損しにくい材料であることから、十分な耐久性が発揮される。
【００３４】
なお、弾性シート４６によって各ガイド突起４１ｅ，４２ｅを付勢する力は、弾性シート４６自体の弾性および厚さと、弾性シート４６の屈曲の程度に影響する隙間４５の大きさとの相関関係によって定まる。したがって、これらの因子を適宜変動させて、過大な摺動抵抗を生じさせることがなく、かつ最適な付勢力が得られるようにすればよい。
【００３５】
図９は、弾性シート４６を壁部８１ｄに接着させるにあたり、壁部８１ｄの外面に、円形突起状の２つのボス９０をガイドスリット８１ｅが延びる方向に離間させて形成し、これらボス９０に弾性シート４６に形成した孔４６ａ，４６ｂを嵌め込んだ例を示している。弾性シート４６は、上記のように両面接着テープで壁部８１ｄの外面に貼着されている。これによると、ボス９０に孔４６ａ，４６ｂを嵌め込むことによって弾性シート４６を位置決めすることができるとともに、移動する各ガイド突起４１ｅ，４２ｅの摩擦によって弾性シート４６がずれることを防ぐことができる。
【００３６】
【発明の効果】
以上説明したように、本発明によれば、移動レンズに設けたガイド突起をガイド板のガイドスリットに嵌入した構成において、ガイド突起とガイド板との間の隙間に、ガイド突起を摺動面方向に付勢する弾性シートを介装したので、移動レンズの振れに起因する像揺れを効果的に防止することができる。また、この構成は、高い精度が不要で、かつ簡素な構造であることによって生産上の負担が軽減し、しかも十分な耐久性を有する。
【図面の簡単な説明】
【図１】本発明の一実施形態のファインダ装置が適用されたカメラの斜視図である。
【図２】同カメラの正面図である。
【図３】光学ユニットの斜視図である。
【図４】駆動ユニットの斜視図である。
【図５】ファインダ装置の分解図である。
【図６】ファインダ装置の正面図である。
【図７】図６のＶＩＩ部拡大図である。
【図８】ファインダ装置の側面図である。
【図９】ファインダ装置の変更例を示す側面図である。
【符号の説明】
３０…ファインダ装置、４１…第１移動レンズ、
４１ｅ，４２ｅ…ガイド突起、４２…第２移動レンズ、４４…ガイド軸、
４５…隙間、４６…弾性シート、８１ｄ…壁部（ガイド板）、
８１ｅ…ガイドスリット、８１ｆ…上側の内壁面（他方の内壁面）、
８１ｇ…下側の内壁面（摺動面）。
【図１】
2004151409.tif 000003
【図２】
2004151409.tif 000004
【図３】
2004151409.tif 000005
【図４】
2004151409.tif 000006
【図５】
2004151409.tif 000007
【図６】
2004151409.tif 000008
【図７】
2004151409.tif 000009
【図８】
2004151409.tif 000010
【図９】
2004151409.tif 000011